(57)【要約】【課題】ディスプレイを見ている者に悪い印象を与えることを防止できるメディアプレーヤーを提供する。【解決手段】外部記憶媒体を着脱可能であるメディアプレーヤーであって、前記メディアプレーヤーの外部から前記メディアプレーヤーへの映像信号入力の有無を判定する判定部と、前記判定部によって前記映像信号入力が無いと判定された場合、装着された前記外部記憶媒体に予め格納された緊急表示用データを読み出し、前記緊急表示用データに基づいて、映像信号が無いことを報知しない映像の再生を行う再生部と、を備えるメディアプレーヤーとする。【選択図】図２
2014191047.tif 000002
【特許請求の範囲】
【請求項１】
外部記憶媒体を着脱可能であるメディアプレーヤーであって、
前記メディアプレーヤーの外部から前記メディアプレーヤーへの映像信号入力の有無を判定する判定部と、
前記判定部によって前記映像信号入力が無いと判定された場合、装着された前記外部記憶媒体に予め格納された緊急表示用データを読み出し、前記緊急表示用データに基づいて、映像信号が無いことを報知しない映像の再生を行う再生部と、
を備えることを特徴とするメディアプレーヤー。
【請求項２】
他の緊急表示用データが予め格納された不揮発性メモリを備え、
前記再生部は、前記判定部によって前記映像信号入力が無いと判定され、且つ、前記緊急表示用データが読み出せなかった場合、前記他の緊急表示用データを読み出し、前記他の緊急表示用データに基づいて、映像信号が無いことを報知しない映像の再生を行うことを特徴とする請求項１に記載のメディアプレーヤー。
【請求項３】
前記映像信号入力が無い状態から前記映像信号入力が有る状態に戻った場合、前記再生部は、映像信号が無いことを報知しない映像の再生を終了し、前記映像信号入力に基づく映像の再生を再開することを特徴とする請求項１または請求項２に記載のメディアプレーヤー。
【請求項４】
前記判定部は、前記メディアプレーヤーの外部から前記メディアプレーヤーへの映像信号入力が無い状態が所定の時間継続したときに、前記映像信号入力が無いと判定し、
前記所定の時間が指定可能であることを特徴とする請求項１〜請求項３のいずれか１項に記載のメディアプレーヤー。
【請求項５】
前記判定部によって前記映像信号入力が無いと判定された場合、前記再生部は映像信号が無いことを報知しない映像の再生を行う第１モードと、
前記判定部によって前記映像信号入力が無いと判定された場合、前記再生部は映像信号が無いことを報知する映像の再生を行う第２モードとの選択が可能であることを特徴とする請求項１〜請求項４のいずれか１項に記載のメディアプレーヤー。
【請求項６】
請求項１〜請求項５のいずれか１項に記載のメディアプレーヤーと、前記メディアプレーヤーが有する再生部によって再生された映像を表示する表示部と、を備える表示装置。
【発明の詳細な説明】
【技術分野】
【０００１】
本発明は、メディアプレーヤー及びそれを備えた表示装置に関する。
【背景技術】
【０００２】
近年、液晶ディスプレイなどを用いたデジタルサイネージ（電子看板）が公共スペースなどで普及している。
【０００３】
このようなデジタルサイネージは、ディスプレイと、ディスプレイに映像信号を供給するメディアプレーヤーとを備えている。メディアプレーヤーは、メディアプレーヤーの外部から映像信号を入力し、その外部入力した映像信号を利用して、ディスプレイに映像信号を供給している。
【先行技術文献】
【特許文献】
【０００４】
【特許文献１】特開２００８−３１１７６８号公報
【発明の概要】
【発明が解決しようとする課題】
【０００５】
従来のデジタルサイネージでは、メディアプレーヤーの外部からメディアプレーヤーへの映像信号入力が無い場合、メディアプレーヤーは、映像信号が無いことを報知する映像、例えば、「Ｎｏ  Ｓｉｇｎａｌ」をＯＳＤ表示する映像（特許文献１参照）、ブラックアウト映像、ブルーバック映像などをディスプレイに表示させていた。
【０００６】
映像信号が無いことを報知する映像がディスプレイに表示されていると、ディスプレイを見ている者に、メンテナンスが行き届いていないなどの悪い印象を与えてしまうおそれがあった。
【０００７】
そこで、本発明は、ディスプレイを見ている者に悪い印象を与えることを防止できるメディアプレーヤー及びそれを備えた表示装置を提供することを目的とする。
【課題を解決するための手段】
【０００８】
上記目的を達成するために本発明に係るメディアプレーヤーは、外部記憶媒体を着脱可能であるメディアプレーヤーであって、前記メディアプレーヤーの外部から前記メディアプレーヤーへの映像信号入力の有無を判定する判定部と、前記判定部によって前記映像信号入力が無いと判定された場合、装着された前記外部記憶媒体に予め格納された緊急表示用データを読み出し、前記緊急表示用データに基づいて、映像信号が無いことを報知しない映像の再生を行う再生部と、を備える構成（第１の構成）としている。
【０００９】
このような構成によれば、映像信号が無い場合に、映像信号が無いことを報知する映像ではなく、映像信号が無いことを報知しない映像がディスプレイに表示されることになるので、ディスプレイを見ている者に悪い印象を与えることを防止できる。
【００１０】
また、上記第１の構成において、他の緊急表示用データが予め格納された不揮発性メモリを備え、前記再生部は、前記判定部によって前記映像信号入力が無いと判定され、且つ、前記緊急表示用データが読み出せなかった場合、前記他の緊急表示用データを読み出し、前記他の緊急表示用データに基づいて、映像信号が無いことを報知しない映像の再生を行う構成（第２の構成）にすることが望ましい。
【００１１】
このような構成によれば、外部記憶媒体が装着されていない場合、外部記憶媒体が故障している場合、外部記憶媒体に緊急表示用データが格納されていない場合、あるいは緊急表示用データが壊れている場合であっても、映像信号が無い場合に、映像信号が無いことを報知する映像ではなく、映像信号が無いことを報知しない映像がディスプレイに表示されることになるので、ディスプレイを見ている者に悪い印象を与えることを防止できる。
【００１２】
また、上記第１又は上記第２の構成において、前記映像信号入力が無い状態から前記映像信号入力が有る状態に戻った場合、前記再生部は、映像信号が無いことを報知しない映像の再生を終了し、前記映像信号入力に基づく映像の再生を再開する構成（第３の構成）にすることが望ましい。
【００１３】
このような構成によれば、映像信号入力が無い状態から映像信号入力が有る状態に戻った場合、自動的に映像信号入力に基づく映像の再生が再開されるので、装置の再起動が不要になる。
【００１４】
また、上記第１〜上記第３のいずれかの構成において、前記判定部は、前記メディアプレーヤーの外部から前記メディアプレーヤーへの映像信号入力が無い状態が所定の時間継続したときに、前記映像信号入力が無いと判定し、前記所定の時間が指定可能である構成（第４の構成）にすることが望ましい。
【００１５】
このような構成によれば、映像信号入力の有無の判定基準を、メディアプレーヤーの利用形態などに応じて柔軟に変更できる。
【００１６】
また、上記第１〜上記第４のいずれかの構成において、前記判定部によって前記映像信号入力が無いと判定された場合、前記再生部は映像信号が無いことを報知しない映像の再生を行う第１モードと、前記判定部によって前記映像信号入力が無いと判定された場合、前記再生部は映像信号が無いことを報知する映像の再生を行う第２モードとの選択が可能である構成（第４の構成）にすることが望ましい。
【００１７】
このような構成によれば、メディアプレーヤーの利用形態などによって、映像信号が無い場合に、ディスプレイを見ている者に映像信号が無いことを報知した方が良いときにも、第２モードを選択することで対応できる。
【００１８】
また、本発明に係る表示装置は、上記いずれかの構成のメディアプレーヤーと、前記メディアプレーヤーが有する再生部によって再生された映像を表示する表示部と、を備える構成としている。
【発明の効果】
【００１９】
本発明によると、ディスプレイを見ている者に悪い印象を与えることを防止できる。
【図面の簡単な説明】
【００２０】
【図１】本発明の一実施形態に係るモニタのブロック構成図である。
【図２】メディアプレーヤーの再生制御動作の一例を示すフローチャートである。
【図３】外部からの映像信号入力が有る場合の映像の一例を示す図である。
【図４】外部からの映像信号入力が無い場合の映像の一例を示す図である。
【図５】外部からの映像信号入力が有る場合の映像の他の例を示す図である。
【図６】外部からの映像信号入力が無い場合の映像の他の例を示す図である。
【図７】「Ｎｏ  Ｓｉｇｎａｌ」をＯＳＤ表示する映像を示す図である。
【図８】メディアプレーヤーの再生制御動作の他の例を示すフローチャートである。
【発明を実施するための形態】
【００２１】
以下に本発明の一実施形態について図面を参照して説明する。本発明の一実施形態に係るモニタ（表示装置）１のブロック構成を図１に示す。図１に示すように、モニタ１は、メディアプレーヤー２と、ＬＣＤ（液晶ディスプレイ）３と、左側用のスピーカー４Ｌと、右側用のスピーカー４Ｒとを備えている。
【００２２】
メディアプレーヤー２は、外部入力インタフェース２１と、マイコン２２と、ＲＡＭ（Random Access Memory）２３と、ＲＯＭ（Read Only Memory）２４と、ＵＳＢ（Universal Serial Bus）インタフェース２５と、映像処理部２６と、音声処理部２７とを備えている。メディアプレーヤー２は、ＳＯＣ（System On Chip）で構成することができる。
【００２３】
外部入力インタフェース２１は、メディアプレーヤー２の外部からメディアプレーヤー２に送られてくる映像信号及び音声信号を入力するインタフェースであり、例えば、ＰＣ（Personal computer）ボードから送られてくるＰＣ映像信号を入力するＲＧＢコネクタ、ＤＶＩ信号を入力するＤＶＩコネクタ、コンポジット映像信号及び音声信号を入力するＲＣＡ端子などを有している。
【００２４】
マイコン２２は、メディアプレーヤー２の各部を制御する制御装置である。ＲＡＭ２３は、マイコン２２のワークメモリなどとして用いられる。ＲＯＭ２４は、マイコン２２が実行する制御プログラムなどを格納する。
【００２５】
ＵＳＢインタフェース２５は、可搬型外部記憶媒体であるＵＳＢメモリ５を着脱することが可能であり、装着されたＵＳＢメモリ５と通信を行う。
【００２６】
映像処理部２６は、例えば、ｍｐ４ファイルの圧縮動画データを伸長したり、動画データやＪＰＥＧ形式の静止画データをＬＣＤ３での表示に適した映像信号（ＤＶＩ（Digital Visual Interface）など）に変換することを行う。ＬＣＤ３は、映像処理部２６から入力される映像信号に基づき映像を表示し、例えばフルＨＤでの高解像度で映像を表示する。
【００２７】
音声処理部２７は、例えば、ｍｐ３ファイルやｍｐ４ファイルの圧縮音声データを伸長したり、音声データをスピーカー４Ｌ及び４Ｒに適した音声信号に変換することを行う。スピーカー４Ｌ及び４Ｒは、音声処理部２７から入力される音声信号に基づき音声を発生する。
【００２８】
次に、メディアプレーヤー２の再生制御について説明する。図２は、メディアプレーヤー２の再生制御動作の一例を示すフローチャートである。
【００２９】
モニタ１に電源が投入され、モニタ１が起動すると、図２に示すフローチャートの動作が開始され、モニタ１が動作している期間は図２に示すフローチャートの動作が継続する。
【００３０】
ステップＳ１０において、マイコン２２は、外部入力インタフェースから送られてくる信号に基づいて、メディアプレーヤー２の外部からメディアプレーヤー２への映像信号入力が無いかを判定する。当該映像信号入力が一瞬でも無ければ、当該映像信号入力が無いと判定しても構わないが、本実施形態では、当該映像信号入力が無い状態が所定の時間継続したときに、当該映像信号入力が無いと判定する。なお、当該所定の時間は指定可能であることが望ましい。当該所定の時間を指定可能にすることにより、映像信号入力の有無の判定基準をメディアプレーヤー２の利用形態などに応じて柔軟に変更できる。当該所定の時間を指定する方法としては、例えば、当該所定の時間に関するパラメータをＲＯＭ２４が記憶するようにし、メディアプレーヤー２の外部に設けられる通信部（不図示）がマイコン２２とシリアル通信を行い、そのシリアル通信の通信内容に従って、マイコン２２が当該所定の時間に関するパラメータを書き換える方法を挙げることができる。
【００３１】
メディアプレーヤー２の外部からメディアプレーヤー２への映像信号入力が無いと判定されなかった場合（ステップＳ１０のＮＯ）、マイコン２２は、メディアプレーヤー２の外部から入力された映像信号、すなわちメディアプレーヤー２の外部から外部入力インタフェース２１に送られてきた映像信号を、映像処理部２６に処理させ、映像を再生し（ステップＳ２０）、その後ステップＳ１０に戻る。
【００３２】
一方、メディアプレーヤー２の外部からメディアプレーヤー２への映像信号入力が無いと判定された場合（ステップＳ１０のＹＥＳ）、マイコン２２は、ＵＳＢメモリ５に予め格納されている緊急表示用データが読み出せるか否かを判定する（ステップＳ３０）。なお、当該緊急表示用データは、当該緊急表示用データに基づく映像の再生が「映像信号が無いことを報知しない映像の再生」になっている限り、特に制限はない。当該緊急表示用データのファイル形式としては、例えば、動画ファイルであってもよく、静止画ファイルであってもよく、ＯＳＤ表示用のテキストファイルであってもよく、画像ファイルとテキストファイルとの組み合わせであってもよい。
【００３３】
ＵＳＢメモリ５に予め格納されている緊急表示用データが読み出せると判定された場合（ステップＳ３０のＹＥＳ）、マイコン２２は、ＵＳＢメモリ５に予め格納されている緊急表示用データを映像処理部２６に処理させ、映像を再生し（ステップＳ４０）、その後ステップＳ１０に戻る。これにより、メディアプレーヤー２の外部からメディアプレーヤー２への映像信号入力が無い場合に、映像信号が無いことを報知する映像ではなく、映像信号が無いことを報知しない映像がＬＣＤ３に表示されることになるので、ＬＣＤ３を見ている者にメンテナンスが行き届いていないなどの悪い印象を与えることを防止できる。その一方で、モニタ１のメンテナンス担当者は、ステップＳ４０の処理によって再生された映像を見ると、ステップＳ２０の処理によって再生された映像との違いが一目瞭然であるため、外部からの映像信号入力が無い状態であることを容易に認識することができる。また、上記の通りステップＳ４０の処理後にステップＳ１０に戻ることで、メディアプレーヤー２の外部からメディアプレーヤー２への映像信号入力が無い状態から有る状態に戻った場合に、ステップＳ２０の処理が実行されるので、モニタ１を再起動することなく、マイコン２２は、メディアプレーヤー２の外部から外部入力インタフェース２１に送られてきた映像信号を、映像処理部２６に処理させ、映像を再生することができる。
【００３４】
これに対して、ＵＳＢメモリ５に予め格納されている緊急表示用データが読み出せると判定されなかった場合（ステップＳ３０のＮＯ）、マイコン２２は、ＲＯＭ２４に予め格納されている他の緊急表示用データを映像処理部２６に処理させ、映像を再生し（ステップＳ５０）、その後ステップＳ１０に戻る。なお、当該他の緊急表示用データは、当該他の緊急表示用データに基づく映像の再生が「映像信号が無いことを報知しない映像の再生」になっている限り、特に制限はない。当該他の緊急表示用データのファイル形式としては、例えば、動画ファイルであってもよく、静止画ファイルであってもよく、ＯＳＤ表示用のテキストファイルであってもよく、画像ファイルとテキストファイルとの組み合わせであってもよい。また、当該他の緊急表示用データは、ＵＳＢメモリ５に予め格納されている緊急表示用データと同一の内容であってよく、互いに異なる内容であってもよい。
【００３５】
ステップＳ５０の処理を実行することにより、ＵＳＢメモリ５が故障している場合、ＵＳＢメモリ５に緊急表示用データが格納されていない場合、あるいはＵＳＢメモリ５に予め格納されている緊急表示用データが壊れている場合であっても、メディアプレーヤー２の外部からメディアプレーヤー２への映像信号入力が無い場合に、映像信号が無いことを報知する映像ではなく、映像信号が無いことを報知しない映像がＬＣＤ３に表示されることになるので、ＬＣＤ３を見ている者にメンテナンスが行き届いていないなどの悪い印象を与えることを防止できる。その一方で、モニタ１のメンテナンス担当者は、ステップＳ５０の処理によって再生された映像を見ると、ステップＳ２０の処理によって再生された映像との違いが一目瞭然であるため、外部からの映像信号入力が無い状態であることを容易に認識することができる。また、上記の通りステップＳ５０の処理後にステップＳ１０に戻ることで、メディアプレーヤー２の外部からメディアプレーヤー２への映像信号入力が無い状態から有る状態に戻った場合に、ステップＳ２０の処理が実行されるので、モニタ１を再起動することなく、マイコン２２は、メディアプレーヤー２の外部から外部入力インタフェース２１に送られてきた映像信号を、映像処理部２６に処理させ、映像を再生することができる。
【００３６】
ここで、ステップＳ２０での映像の再生によってＬＣＤ３に表示される映像及びステップＳ４０またはステップＳ５０での映像の再生によってＬＣＤ３に表示される映像の各例について説明する。
【００３７】
モニタ１が飲食店のデジタルサイネージとして用いられる場合、例えば、ステップＳ２０での映像の再生によってＬＣＤ３に表示される映像を、図３に示すように日によって内容が変更される映像とし、ステップＳ４０またはステップＳ５０での映像の再生によってＬＣＤ３に表示される映像を、図４に示すように「映像信号が無いことを報知しない映像」であって且つ汎用性が高い内容の映像とすればよい。
【００３８】
また、モニタ１がショッピングモールのエントランスに設けられショッピングモールのデジタルサイネージとして用いられる場合、例えば、ステップＳ２０での映像の再生によってＬＣＤ３に表示される映像を、図５に示すように各テナントの広告を順番に表示する映像とし、ステップＳ４０またはステップＳ５０での映像の再生によってＬＣＤ３に表示される映像を、図６に示すように「映像信号が無いことを報知しない映像」であって且つ汎用性が高い内容の映像とすればよい。
【００３９】
また、本実施形態では、ＲＯＭ２４が他の緊急表示用データを予め格納しているが、本発明に係る表示装置は、この形態に限定されるものではない。ＲＯＭ２４が他の緊急表示用データを予め格納していない形態では、ＵＳＢメモリ５に予め格納されている緊急表示用データが読み出せると判定されなかった場合（ステップＳ３０のＮＯ）、例えば従来の表示装置と同様に図７に示すような「Ｎｏ  Ｓｉｇｎａｌ」をＯＳＤ表示する映像の再生を行うようにすればよい。なお、図７に示す例は、ブラックアウト画像に「Ｎｏ  Ｓｉｇｎａｌ」のＯＳＤ表示を重畳した映像である。
【００４０】
以上、本発明の実施形態について説明したが、本発明の趣旨の範囲内であれば、実施形態は種々変形が可能である。
【００４１】
例えば、外部記憶媒体としてはＵＳＢメモリに限らず、例えばＳＤメモリカードなどを用いてもよい。
【００４２】
また、例えば、メディアプレーヤー２が図８に示すフローチャートに従って再生制御動作を行うようにしてもよい。なお、図８に示すフローチャートは、図３に示すフローチャートにステップＳ２１及びステップＳ２２を追加したフローチャートである。
【００４３】
図８に示すフローチャートでは、メディアプレーヤー２の外部からメディアプレーヤー２への映像信号入力が無いと判定された場合（ステップＳ１０のＹＥＳ）、マイコン２２は、選択しているモードを確認する（ステップＳ２１）。
【００４４】
選択しているモードが第１モードであれば、ステップＳ３０に進む。一方、選択しているモードが第２モードであれば、マイコン２２は、図７に示すような「Ｎｏ  Ｓｉｇｎａｌ」をＯＳＤ表示する映像の再生を行うように、映像処理部２６を制御し（ステップＳ２２）、その後ステップＳ１０に戻る。「Ｎｏ  Ｓｉｇｎａｌ」をＯＳＤ表示するためのデータは、ＲＯＭ２４に予め格納しておくとよい。なお、上述した第１モード、第２モードのいずれかを選択する方法としては、例えば、モードに関するフラグをＲＯＭ２４が記憶するようにし、メディアプレーヤー２の外部に設けられる通信部（不図示）がマイコン２２とシリアル通信を行い、そのシリアル通信の通信内容に従って、マイコン２２が当該モードに関するフラグの内容を書き換える方法を挙げることができる。
【００４５】
第１モードが選択されている場合には、図３に示すフローチャートと同様の映像の再生を行うことになり、第２モードが選択されている場合には、従来の表示装置と同様の映像の再生を行うことになる。これにより、モニタ１の利用形態などによって、映像信号が無い場合に、ＬＣＤ３を見ている者に映像信号が無いことを報知した方が良いときには、第２モードを選択することで対応できる。
【符号の説明】
【００４６】
１  モニタ
２  メディアプレーヤー
３  ＬＣＤ（液晶表示ディスプレイ）
４Ｌ、４Ｒ  スピーカー
５  ＵＳＢメモリ
【図１】
2014191047.tif 000003
【図２】
2014191047.tif 000004
【図３】
2014191047.tif 000005
【図４】
2014191047.tif 000006
【図５】
2014191047.tif 000007
【図６】
2014191047.tif 000008
【図７】
2014191047.tif 000009
【図８】
2014191047.tif 000010